(57)【要約】【課題】本発明は、レンズモジュールに関する。【解決手段】本発明のレンズモジュールは、第１レンズと、第２レンズと、上記第１レンズと上記第２レンズとの間に配置され、光量を調節する孔が形成される間隔保持部材と、を含み、上記孔の内周面は、光軸に対して所定の傾斜角を有する複数の傾斜面を含むことができる。【選択図】図１
2014123087.tif 000002
【特許請求の範囲】
【請求項１】
第１レンズと、
第２レンズと、
前記第１レンズと前記第２レンズとの間に配置され、光量を調節する孔が形成される間隔保持部材と、を含み、
前記孔の内周面は、光軸に対して傾斜角を有する複数の傾斜面を含む、レンズモジュール。
【請求項２】
前記複数の傾斜面は、不連続的に形成される、請求項１に記載のレンズモジュール。
【請求項３】
前記複数の傾斜面は、
第１傾斜角を有する第１傾斜面と、
第２傾斜角を有する第２傾斜面と、を含む、請求項１または２に記載のレンズモジュール。
【請求項４】
前記第１傾斜角と前記第２傾斜角は、異なる大きさを有する、請求項３に記載のレンズモジュール。
【請求項５】
前記第１レンズと前記第２レンズとを収容するレンズ鏡筒をさらに含む、請求項１から４の何れか１項に記載のレンズモジュール。
【請求項６】
前記レンズ鏡筒は、前記第１レンズ及び前記第２レンズと線膨張係数が同一の材質からなる、請求項５に記載のレンズモジュール。
【請求項７】
前記第１レンズ及び前記第２レンズはプラスチック材質からなり、
前記レンズ鏡筒はポリアリレート（ＰＡＲ：Ｐｏｌｙａｒｙｌａｔｅ）からなる、請求項６に記載のレンズモジュール。
【請求項８】
前記間隔保持部材は、非鉄金属からなる、請求項１から７の何れか１項に記載のレンズモジュール。
【請求項９】
第１レンズと、
第２レンズと、
前記第１レンズと前記第２レンズとの間に配置され、光量を調節する第１孔が形成される第１間隔保持部材と、
前記第１レンズと前記第２レンズとの間に配置され、光量を調節する第２孔が形成される第２間隔保持部材と、を含み、
前記第１孔の内周面は光軸に対して第１傾斜角を有する第１傾斜面を含み、
前記第２孔の内周面は光軸に対して第２傾斜角を有する第２傾斜面を含む、レンズモジュール。
【請求項１０】
前記第１傾斜角と前記第２傾斜角は、異なる大きさを有する、請求項９に記載のレンズモジュール。
【請求項１１】
前記第１孔と前記第２孔は、異なる大きさを有する、請求項９または１０に記載のレンズモジュール。
【請求項１２】
前記第１レンズと前記第２レンズとを収容するレンズ鏡筒をさらに含む、請求項９から１１の何れか１項に記載のレンズモジュール。
【請求項１３】
前記レンズ鏡筒は、前記第１レンズ及び前記第２レンズと同一の線膨張係数を有する材質からなる、請求項１２に記載のレンズモジュール。
【請求項１４】
前記第１レンズ及び前記第２レンズはプラスチック材質からなり、
前記レンズ鏡筒はポリアリレート（ＰＡＲ：Ｐｏｌｙａｒｙｌａｔｅ）からなる、請求項１３に記載のレンズモジュール。
【請求項１５】
前記第１間隔保持部材及び前記第２間隔保持部材は、非鉄金属からなる、請求項９から１４の何れか１項に記載のレンズモジュール。
【請求項１６】
レンズ鏡筒と、
前記レンズ鏡筒と結合する第１レンズ群と、
前記レンズ鏡筒とは非接触状態で前記第１レンズ群と結合する第２レンズ群と、
前記第２レンズ群と結合する第３レンズ群と、を含む、レンズモジュール。
【請求項１７】
前記第３レンズ群は、前記レンズ鏡筒と接触する、請求項１６に記載のレンズモジュール。
【請求項１８】
前記第３レンズ群の外周面には傾斜面が形成される、請求項１６または１７に記載のレンズモジュール。
【請求項１９】
前記第２レンズ群は、複数のレンズを含む、請求項１６から１８の何れか１項に記載のレンズモジュール。
【請求項２０】
前記第２レンズ群と前記第３レンズ群との間に配置され、光量を調節する孔が形成される間隔保持部材をさらに含む、請求項１６から１９の何れか１項に記載のレンズモジュール。
【請求項２１】
前記間隔保持部材は、非鉄金属からなる、請求項２０に記載のレンズモジュール。
【請求項２２】
前記孔の内周面は、光軸に対して所定の傾斜角を有する複数の傾斜面を含む、請求項２０または２１に記載のレンズモジュール。
【請求項２３】
前記複数の傾斜面は、
第１傾斜角を有する第１傾斜面と、
第２傾斜角を有する第２傾斜面と、を含む、請求項２２に記載のレンズモジュール。
【請求項２４】
前記第１傾斜角と前記第２傾斜角は、異なる大きさを有する、請求項２３に記載のレンズモジュール。
【請求項２５】
前記レンズ鏡筒は、前記第１レンズ群から前記第３レンズ群と同一の線膨張係数を有する材質からなる、請求項１６から２４の何れか１項に記載のレンズモジュール。
【請求項２６】
前記第１レンズ群から前記第３レンズ群はプラスチック材質からなり、
前記レンズ鏡筒はポリアリレート（ＰＡＲ：Ｐｏｌｙａｒｙｌａｔｅ）からなる、請求項２５に記載のレンズモジュール。
【請求項２７】
前記第２レンズ群と前記第３レンズ群との間に配置され、光量を調節する第１孔が形成される第１間隔保持部材と、
前記第２レンズ群と前記第３レンズ群との間に配置され、光量を調節する第２孔が形成される第２間隔保持部材と、をさらに含む、請求項１６から２６の何れか１項に記載のレンズモジュール。
【請求項２８】
前記第１間隔保持部材及び前記第２間隔保持部材は、非鉄金属からなる、請求項２７に記載のレンズモジュール。
【請求項２９】
前記第１孔の内周面は光軸に対して第１傾斜角を有する第１傾斜面を含み、
前記第２孔の内周面は光軸に対して第２傾斜角を有する第２傾斜面を含む、請求項２７または２８に記載のレンズモジュール。
【請求項３０】
前記第１傾斜角と前記第２傾斜角は、異なる大きさを有する、請求項２９に記載のレンズモジュール。
【請求項３１】
前記第１孔と前記第２孔は、異なる大きさを有する、請求項２９または３０に記載のレンズモジュール。
【発明の詳細な説明】
【技術分野】
【０００１】
本発明は、レンズモジュールに関し、より詳細には、ゴースト現象及びフレア現象のような内面反射の問題を最小限にすることができるレンズモジュールを提供することにその目的がある。
【背景技術】
【０００２】
携帯用機器（例えば、携帯電話）の性能が向上するに伴い、携帯用機器に装着される小型カメラに対しても高い解像度が求められている。これにより、小型カメラは益々複数のレンズを含むレンズモジュールからなっている。
【０００３】
複数のレンズを含むレンズモジュールは、レンズと、レンズを収容するレンズ鏡筒と、を含むことができる。このようなレンズモジュールは、レンズレンズ鏡筒にレンズを順に挿入してレンズの光軸を一致させる構造を有する。
【０００４】
しかし、このような構造はレンズレンズ鏡筒によってレンズの光軸が整列される構造であるため、レンズレンズ鏡筒に装着される全てのレンズを同一のサイズまたは同一の加工誤差で製作しなければならないという問題がある。
【０００５】
また、複数のレンズを含むレンズモジュールは、内面反射によるフレア現象が発生する可能性があるため、レンズモジュールの解像度が低下するという問題点がある。
【０００６】
従って、レンズを正確に整列させると共に、フレア現象を減少させることができるレンズモジュールの開発が求められる。
【０００７】
一方、本発明に係る先行技術としては特許文献１及び２が挙げられる。特許文献１は、レンズ間の焦点距離の偏差を最小限にすることができるレンズ鏡筒の構造を紹介しており、特許文献２は、レンズ鏡筒の大きさを最小限にすることができるレンズ構造を紹介している。
【０００８】
しかし、上記特許文献は、内面反射によるゴースト（ｇｈｏｓｔ）現象及びフレア（ｆｌａｒｅ）現象を最小限にするためのいかなる構成も紹介していない。
【先行技術文献】
【特許文献】
【０００９】
【特許文献１】韓国公開特許２００６−０８１９７１号公報
【特許文献２】特開２０１１−０７５６８２号公報
【発明の概要】
【発明が解決しようとする課題】
【００１０】
本発明は、上記のような問題点を解決するためのもので、レンズの整列を容易にすると共に、フレア現象の発生を最小限にすることができるレンズモジュールを提供することにその目的がある。
【課題を解決するための手段】
【００１１】
上記目的を達成するための本発明の一実施形態によるレンズモジュールは、第１レンズと、第２レンズと、上記第１レンズと上記第２レンズとの間に配置され、光量を調節する孔が形成される間隔保持部材と、を含み、上記孔の内周面は、光軸に対して所定の傾斜角を有する複数の傾斜面を含むことができる。
【００１２】
本発明の一実施形態によるレンズモジュールにおいて、上記複数の傾斜面は、不連続的に形成されることができる。
【００１３】
本発明の一実施形態によるレンズモジュールにおいて、上記複数の傾斜面は、第１傾斜角を有する第１傾斜面と、第２傾斜角を有する第２傾斜面と、を含むことができる。
【００１４】
本発明の一実施形態によるレンズモジュールにおいて、上記第１傾斜角と上記第２傾斜角は、異なる大きさを有することができる。
【００１５】
本発明の一実施形態によるレンズモジュールは、上記第１レンズと上記第２レンズとを収容するレンズ鏡筒をさらに含むことができる。
【００１６】
本発明の一実施形態によるレンズモジュールにおいて、上記レンズ鏡筒は、上記第１レンズ及び上記第２レンズと線膨張係数が同一の材質からなることができる。
【００１７】
本発明の一実施形態によるレンズモジュールにおいて、上記第１レンズ及び上記第２レンズはプラスチック材質からなり、上記レンズ鏡筒はポリアリレート（ＰＡＲ：Ｐｏｌｙａｒｙｌａｔｅ）からなることができる。
【００１８】
本発明の一実施形態によるレンズモジュールにおいて、上記間隔保持部材は、非鉄金属からなることができる。
【００１９】
上記目的を達成するための本発明の他の実施形態によるレンズモジュールは、第１レンズと、第２レンズと、上記第１レンズと上記第２レンズとの間に配置され、光量を調節する第１孔が形成される第１間隔保持部材と、上記第１レンズと上記第２レンズとの間に配置され、光量を調節する第２孔が形成される第２間隔保持部材と、を含み、上記第１孔の内周面は光軸に対して第１傾斜角を有する第１傾斜面を含み、上記第２孔の内周面は光軸に対して第２傾斜角を有する第２傾斜面を含むことができる。
【００２０】
本発明の他の実施形態によるレンズモジュールにおいて、上記第１傾斜角と上記第２傾斜角は、異なる大きさを有することができる。
【００２１】
本発明の他の実施形態によるレンズモジュールにおいて、上記第１孔と上記第２孔は、異なる大きさを有することができる。
【００２２】
本発明の他の実施形態によるレンズモジュールは、上記第１レンズと上記第２レンズとを収容するレンズ鏡筒をさらに含むことができる。
【００２３】
本発明の他の実施形態によるレンズモジュールにおいて、上記レンズ鏡筒は、上記第１レンズ及び上記第２レンズと同一の線膨張係数を有する材質からなることができる。
【００２４】
本発明の他の実施形態によるレンズモジュールにおいて、上記第１レンズ及び上記第２レンズはプラスチック材質からなり、上記レンズ鏡筒はポリアリレート（ＰＡＲ：Ｐｏｌｙａｒｙｌａｔｅ）からなることができる。
【００２５】
本発明の他の実施形態によるレンズモジュールにおいて、上記第１間隔保持部材及び上記第２間隔保持部材は、非鉄金属からなることができる。
【００２６】
上記目的を達成するための本発明のさらに他の実施形態によるレンズモジュールは、レンズ鏡筒と、上記レンズ鏡筒と結合する第１レンズ群と、上記レンズ鏡筒とは非接触状態で上記第１レンズ群と結合する第２レンズ群と、上記第２レンズ群と結合する第３レンズ群と、を含むことができる。
【００２７】
本発明のさらに他の実施形態によるレンズモジュールにおいて、上記第３レンズ群は、上記レンズ鏡筒と接触することができる。
【００２８】
本発明のさらに他の実施形態によるレンズモジュールにおいて、上記第３レンズ群の外周面には、傾斜面が形成されることができる。
【００２９】
本発明のさらに他の実施形態によるレンズモジュールにおいて、上記第２レンズ群は、複数のレンズを含むことができる。
【００３０】
本発明のさらに他の実施形態によるレンズモジュールは、上記第２レンズ群と上記第３レンズ群との間に配置され、光量を調節する孔が形成される間隔保持部材をさらに含むことができる。
【００３１】
本発明のさらに他の実施形態によるレンズモジュールにおいて、上記間隔保持部材は、非鉄金属からなることができる。
【００３２】
本発明のさらに他の実施形態によるレンズモジュールにおいて、上記孔の内周面は、光軸に対して所定の傾斜角を有する複数の傾斜面を含むことができる。
【００３３】
本発明のさらに他の実施形態によるレンズモジュールにおいて、上記複数の傾斜面は、第１傾斜角を有する第１傾斜面と、第２傾斜角を有する第２傾斜面と、を含むことができる。
【００３４】
本発明のさらに他の実施形態によるレンズモジュールにおいて、上記第１傾斜角と上記第２傾斜角は、異なる大きさを有することができる。
【００３５】
本発明のさらに他の実施形態によるレンズモジュールにおいて、上記レンズ鏡筒は、上記第１レンズ群から上記第３レンズ群と同一の線膨張係数を有する材質からなることができる。
【００３６】
本発明のさらに他の実施形態によるレンズモジュールにおいて、上記第１レンズ群から上記第３レンズ群はプラスチック材質からなり、上記レンズ鏡筒はポリアリレート（ＰＡＲ：Ｐｏｌｙａｒｙｌａｔｅ）からなることができる。
【００３７】
本発明のさらに他の実施形態によるレンズモジュールは、上記第２レンズ群と上記第３レンズ群との間に配置され、光量を調節する第１孔が形成される第１間隔保持部材と、上記第２レンズ群と上記第３レンズ群との間に配置され、光量を調節する第２孔が形成される第２間隔保持部材と、をさらに含むことができる。
【００３８】
本発明のさらに他の実施形態によるレンズモジュールにおいて、上記第１間隔保持部材及び上記第２間隔保持部材は、非鉄金属からなることができる。
【００３９】
本発明のさらに他の実施形態によるレンズモジュールにおいて、上記第１孔の内周面は光軸に対して第１傾斜角を有する第１傾斜面を含み、上記第２孔の内周面は光軸に対して第２傾斜角を有する第２傾斜面を含むことができる。
【００４０】
本発明のさらに他の実施形態によるレンズモジュールにおいて、上記第１傾斜角と上記第２傾斜角は、異なる大きさを有することができる。
【００４１】
本発明のさらに他の実施形態によるレンズモジュールにおいて、上記第１孔と上記第２孔は、異なる大きさを有することができる。
【発明の効果】
【００４２】
本発明は、内面反射によるゴースト現象及びフレア現象を効果的に減少することができるため、レンズモジュールの解像度を向上させることができる。
【００４３】
また、本発明は、レンズ鏡筒とレンズとの接触を最小限にするため、レンズ鏡筒とレンズの締まりばめ構造から発生するレンズ鏡筒及びレンズの変形形状を減少させることができる。
【図面の簡単な説明】
【００４４】
【図１】本発明の第１実施形態によるレンズモジュールの構成図である。
【図２】図１に示されたレンズモジュールの他の形態を示す図面である。
【図３】図１に示されたレンズモジュールのさらに他の形態を示す図面である。
【図４】図１に示されたレンズモジュールのさらに他の形態を示す図面である。
【図５】本発明の第２実施形態によるレンズモジュールの構成図である。
【図６】図５に示されたレンズモジュールの他の形態を示す図面である。
【図７】図５に示されたレンズモジュールのさらに他の形態を示す図面である。
【図８】本発明の第３実施形態によるレンズモジュールの構成図である。
【図９】図８に示されたＡ部分の拡大図である。
【発明を実施するための形態】
【００４５】
以下では、添付の図面を参照し、本発明の好ましい実施形態について説明する。しかし、本発明の実施形態は様々な他の形態に変形されることができ、本発明の範囲は以下で説明する実施形態に限定されない。また、本発明の実施形態は、当該技術分野で平均的な知識を有する者に本発明をより完全に説明するために提供されるものである。なお、図面における要素の形状及び大きさなどはより明確な説明のために誇張されることがある。
【００４６】
図１は、本発明の第１実施形態によるレンズモジュールの構成図であり、図２は、図１に示されたレンズモジュールの他の形態を示す図面であり、図３は、図１に示されたレンズモジュールのさらに他の形態を示す図面であり、図４は、図１に示されたレンズモジュールのさらに他の形態を示す図面であり、図５は、本発明の第２実施形態によるレンズモジュールの構成図であり、図６は、図５に示されたレンズモジュールの他の形態を示す図面であり、図７は、図５に示されたレンズモジュールのさらに他の形態を示す図面であり、図８は、本発明の第３実施形態によるレンズモジュールの構成図であり、図９は、図８に示されたＡ部分の拡大図である。
【００４７】
図１から図４を参照して、本発明の第１実施形態によるレンズモジュールを説明する。
【００４８】
第１実施形態によるレンズモジュール１００は、第１レンズ１１０と、第２レンズ１２０と、間隔保持部材１６０と、を含むことができる。また、レンズモジュール１００は、選択的に遮光部材（図示せず）をさらに含むことができる。なお、レンズモジュール１００は、実現しようとする解像度に応じて複数のレンズをさらに含むことができる。
【００４９】
第１レンズ１１０は、ガラス、ガラスモールディング、熱硬化性樹脂、熱可塑性樹脂またはプラスチック材質で製作されることができる。第１レンズ１１０は、全体的に正の屈折力または負の屈折力を有することができる。第１レンズ１１０は、レンズモジュール１００において、第２レンズ１２０より被写体に近く配置されるレンズであることができる。
【００５０】
第１レンズ１１０は、レンズ機能部１１２と、フランジ部１１４と、を含むことができる。レンズ機能部１１２は、被写体から反射された入射光を屈折させることができる。これにより、レンズ機能部１１２は、凹または凸またはメニスカス形状を有することができる。参考までに、本実施形態において、第１レンズ１１０のレンズ機能部１１２は、第２レンズ１２０を向かって凸のメニスカス形状であることができる。フランジ部１１４は、レンズ機能部１１２の縁に形成されることができる。フランジ部１１４は、他のレンズ（即ち、第２レンズ１２０）との接触がなされる部分であることができる。ここで、フランジ部１１４には、遮光物質がコーティングされたり、または遮光フィルムが付着されることができる。この場合、フランジ部１１４を通じて不要な光が第２レンズ１２０に入射される現象を遮断することができる。
【００５１】
第２レンズ１２０は、ガラス、ガラスモールディング、熱硬化性樹脂、熱可塑性樹脂またはプラスチック材質で製作されることができる。第２レンズ１２０は、全体的に正の屈折力または負の屈折力を有することができる。第２レンズ１２０は、レンズモジュール１００において、第１レンズ１２０よりイメージセンサに近く配置されるレンズであることができる。
【００５２】
第２レンズ１２０は、レンズ機能部１２２と、フランジ部１２４と、を含むことができる。レンズ機能部１２２は、被写体から反射された入射光を屈折させることができる。これにより、レンズ機能部１２２は、凹または凸またはメニスカス形状を有することができる。参考までに、本実施形態において、第２レンズ１２０のレンズ機能部１２２は、光軸（Ｃ−Ｃ）と交差する部分（即ち、レンズの中心）以外の地点において変曲点を有する形状であることができる。フランジ部１２４は、レンズ機能部１２２の縁に形成されることができる。フランジ部１２４は、他のレンズ（即ち、第１レンズ１１０）との接触がなされる部分であることができる。ここで、フランジ部１２４には、遮光物質がコーティングされたり、または遮光フィルムが付着されることができる。この場合、フランジ部１２４を通じて不要な光がイメージセンサに入射される現象を遮断することができる。
【００５３】
間隔保持部材１６０は、第１レンズ１１０と第２レンズ１２０との間に配置されることができる。間隔保持部材１６０は、第１レンズ１１０から第２レンズ１２０に入射される光量を調節することができ、第１レンズ１１０から入射される不要な光が第２レンズ１２０に入射されることを遮断することができる。このために、間隔保持部材１６０には、光軸（Ｃ−Ｃ）が通過する孔１６２が形成されることができる。
【００５４】
また、間隔保持部材１６０は、レンズの内面反射によるゴースト現象及びフレア現象を減少させることができる。これにより、孔１６２の内周面には、図１のように複数の傾斜面１６４、１６６が形成されることができる。
【００５５】
傾斜面１６４、１６６は、第１傾斜面１６４と、第２傾斜面１６６と、を含むことができる。ここで、第１傾斜面１６４と第２傾斜面１６６は不連続的に形成されることができる。傾斜面１６４、１６６、１６８は、図２のように３個以上であってもよい。この場合、傾斜面１６４、１６６、１６８によってゴースト現象及びフレア現象の遮断効果を向上させることができる。また、第１傾斜面１６４と第２傾斜面１６６は、図１のように光軸（Ｃ−Ｃ）に対して同一の傾斜角を有したり、または図３のように光軸（Ｃ−Ｃ）に対して異なる傾斜角を有することができる。前者は間隔保持部材１６０の製作が容易であり、後者は間隔保持部材１６０によってゴースト現象及びフレア現象を遮断するのに効果的である。
【００５６】
間隔保持部材１６０は、非鉄金属で製作されることができる。例えば、間隔保持部材１６０は、銅またはアルミニウムの材質で製作されることができる。この場合、間隔保持部材１６０の成形が容易になるだけでなく、間隔保持部材１６０の生産単価を下げることができるという長所がある。参考までに、間隔保持部材１６０の表面には遮光物質でコーティングされることもできる。
【００５７】
レンズモジュール１００は、レンズ鏡筒１９０をさらに含むことができる。レンズ鏡筒１９０は、円筒形状で製作されることができ、第１レンズ１１０と第２レンズ１２０とを内部に収容することができる。レンズ鏡筒１９０は、第１レンズ１１０及び第２レンズ１２０のうちいずれか一つのレンズとのみ結合することができる。詳しく説明すると、レンズ鏡筒１９０は、２個のレンズのうち直径が最も大きいレンズとのみ結合することができる。参考までに、本実施形態では、レンズ鏡筒１９０と第２レンズ１２０とが相互接触して結合している。
【００５８】
このような結合構造は、レンズ鏡筒１９０に複数のレンズを装着するのに有利である。即ち、レンズ鏡筒１９０に装着される複数のレンズのうちいずれか一つのレンズだけがレンズ鏡筒１９０と結合するため、レンズ鏡筒１９０に複数のレンズを個別的に圧入する工程を省略することができる。また、レンズ鏡筒１９０と少数のレンズだけが接触するため、レンズ鏡筒１９０に複数のレンズを締まりばめることによって発生するレンズの変形またはレンズ鏡筒の変形を最小限にすることができる。
【００５９】
一方、レンズ鏡筒１９０は、レンズ１１０、１２０と同一の線膨張係数を有する材質で製作されることができる。例えば、レンズ鏡筒１９０は、ポリアリレート（ＰＡＲ：Ｐｏｌｙａｒｙｌａｔｅ）材質で製作されることができる。ここで、ポリアリレートは、プラスチックで製作されるレンズ１１０、１２０と概して同一の線膨張係数を有するため、周辺環境の温度変化によるレンズの収縮または膨張現象を効果的に緩衝させることができる。
【００６０】
このように構成されたレンズモジュール１００は、上記の通り、複数の傾斜面を有する間隔保持部材１６０を通じて、レンズの内面反射によるゴースト現象及びフレア現象を減少させることができるという長所がある。
【００６１】
また、本発明によるレンズモジュール１００は、レンズ１１０、１２０とレンズ鏡筒１９０とが同一の線膨張係数を有する材質で製作されるため、高温または低温の環境においてレンズが膨張または収縮しながら、レンズ間の整列位置がねじれる現象を最小限にすることができる。
【００６２】
以下では、本発明の他の実施形態によるレンズモジュールを説明する。参考までに、本発明の他の実施形態に関する説明において、第１実施形態と同一の構成要素には第１実施形態と同一の図面符号を使用し、これら構成要素に関する詳細な説明は省略する。
【００６３】
図５から図７を参照して、本発明の第２実施形態によるレンズモジュールを説明する。
【００６４】
本実施形態によるレンズモジュール１００は、間隔保持部材１６０、１７０の構成において上述した実施形態とは区別される。詳しく説明すると、本実施形態のレンズモジュール１００は、複数の間隔保持部材１６０、１７０を備えるという点において第１実施形態のレンズモジュールとは区別される。
【００６５】
本実施形態において、間隔保持部材１６０、１７０は複数で構成されることができる。即ち、間隔保持部材は、図５に示されているように、２個の間隔保持部材１６０、１７０で構成されることができる。第１間隔保持部材１６０には第１孔１６２が形成され、第２間隔保持部材１７０には第２孔１７２が形成されることができる。ここで、第１孔１６２と第２孔１７２の大きさは、同一でもよく、または異なってもよい。前者は間隔保持部材１６０、１７０の製作が容易であり、後者は間隔保持部材１６０、１７０によってゴースト現象及びフレア現象を遮断するのに効果的である。参考までに、第１孔１６２と第２孔１７２は、第１レンズ１１０から第２レンズ１２０に行くほど、その断面積が次第に大きくなる形状であることができる。
【００６６】
第１孔１６２の内周面には、第１傾斜面１６４が形成されることができる。第１傾斜面１６４は、光軸（Ｃ−Ｃ）に対して所定の傾斜角を有することができる。ここで、第１傾斜面１６４の傾斜角は、レンズの大きさ及び第１間隔保持部材１６０の配置位置によって変更されることができる。
【００６７】
上記と同様に、第２孔１７２の内周面には、第２傾斜面１７４が形成されることができる。第２傾斜面１７４は、光軸（Ｃ−Ｃ）に対して所定の傾斜角を有することができる。ここで、第２傾斜面１７４の傾斜角は、レンズの大きさ及び第２間隔保持部材１７０の配置位置によって変更されることができる。また、第２傾斜面１７４の傾斜角は、第１傾斜面１６４の傾斜角と同一でもよく、または異なってもよい。
【００６８】
一方、本実施形態によるレンズモジュール１００は、図７に示されているように、必要に応じて、レンズ鏡筒１９０をさらに含むことができる。
【００６９】
本実施形態による他の形態において、間隔保持部材は、図６のように３個の間隔保持部材１６０、１７０、１８０で構成されることができる。詳しく説明すると、間隔保持部材は、第１間隔保持部材１６０と、第２間隔保持部材１７０と、第３間隔保持部材１８０と、を含むことができる。
【００７０】
第１間隔保持部材１６０には第１大きさの第１孔１６２が形成され、第１孔１６２の内周面には第１傾斜面１６４が形成されることができる。また、第２間隔保持部材１７０には第２大きさの第２孔１７２が形成され、第２孔１７２の内周面には第２傾斜面１７４が形成されることができる。同様に、第３間隔保持部材１８０には第３大きさの第３孔１８２が形成され、第３孔１８２の内周面には第３傾斜面１８４が形成されることができる。ここで、第１孔１６２、第２孔１７４及び第３孔１８４は、異なる大きさを有することができる。なお、第１傾斜面１６４、第２傾斜面１７４及び第３傾斜面１８４は、同一の傾斜角を有したり、または異なる傾斜角を有することができる。さらに、第１傾斜面１６４と第２傾斜面１７４または第２傾斜面１７４と第３傾斜面１８４は、異なる傾斜方向を有することができる。例えば、第１傾斜面１６４と第３傾斜面１８４は同一の大きさの傾斜角を有するが、第１傾斜面１６４と第２傾斜面１７４は異なる傾斜角と異なる傾斜方向を有することもできる。
【００７１】
一方、本実施形態による間隔保持部材１６０、１７０、１８０は、フィルムのような薄膜形態で製作されることができ、それぞれ個別に製作した後に接着されたり、または結合して一体化されることができる。
【００７２】
このように構成されたレンズモジュール１００は、レンズ１１０とレンズ１２０との間に複雑な形状の間隔保持部材１６０、１７０、１８０を装着するのに有利である。即ち、本実施形態の間隔保持部材は、異なる特徴を有する区間別に分離されて製作されるため、孔１６２、１７２、１８２の内周面をより多様な形状で形成することができる。従って、本実施形態によると、間隔保持部材１６０、１７０、１８０の傾斜面１６４、１７４、１８４により、ゴースト現象及びフレア現象の遮断効果を極大化することができる。
【００７３】
図８及び図９を参照して、本発明の第３実施形態によるレンズモジュールを説明する。
【００７４】
本実施形態によるレンズモジュール１００は、図８に示されているように、複数のレンズ群Ｇ１、Ｇ２、Ｇ３を含むことができる。詳しく説明すると、レンズモジュール１００は、第１レンズ群Ｇ１と、第２レンズ群Ｇ２と、第３レンズ群Ｇ３と、を含むことができる。また、レンズモジュール１００は、上述した間隔保持部材１６０を含むことができる。
【００７５】
第１レンズ群Ｇ１は、レンズモジュール１００において被写体側に最も近く配置されるレンズ群であることができ、一つ以上のレンズを含むことができる。詳しく説明すると、第１レンズ群Ｇ１は、被写体側に最も近く位置する第１レンズ１１０を含むことができる。しかし、第１レンズ群Ｇ１が第１レンズ１１０一つだけを含むものではない。例えば、第１レンズ群Ｇ１は、第１レンズ１１０以外に他のレンズをさらに含むことができる。
【００７６】
第１レンズ群Ｇ１は、レンズ鏡筒１９０と結合することができる。詳しく説明すると、第１レンズ群Ｇ１のレンズは、レンズ鏡筒１９０と接触して光軸が整列されることができる。即ち、第１レンズ１１０の上面と側面はレンズ鏡筒１９０の内側面と接触して、第１レンズ１１０の光軸がレンズ鏡筒１９０の光軸と一致するように整列される。
【００７７】
第２レンズ群Ｇ２は、第１レンズ群Ｇ１と第３レンズ群Ｇ３との間に配置され、一つ以上のレンズを含むことができる。詳しく説明すると、第２レンズ群Ｇ２は、第２レンズ１２０と、第３レンズ１３０と、第４レンズ１４０と、を含むことができる。
【００７８】
第２レンズ群Ｇ２は、第１レンズ群Ｇ１によって整列されることができる。詳しく説明すると、第２レンズ群Ｇ２のレンズ１２０、１３０、１４０は、第１レンズ群Ｇ１のレンズ１１０と結合して、第１レンズ群Ｇ１の光軸と一致するように整列される。これにより、第１レンズ群Ｇ１と第２レンズ群Ｇ２は、相互に結合及び整列できる構造を有することができる。例えば、第１レンズ群Ｇ１には円錐面または突起または溝が形成されることができ、第２レンズ群Ｇ２には上述した円錐面または突起または溝と対応する形状が形成されることができる。
【００７９】
このように構成された第２レンズ群Ｇ２は、レンズ鏡筒１９０とは接触しなくてもよい。即ち、第２レンズ群Ｇ２は、第１レンズ群Ｇ１と接触するだけで、レンズ鏡筒１９０とは接触しなくてもよい。この場合、レンズ鏡筒１９０に複数のレンズで構成される第２レンズ群Ｇ２を容易に装着することができる。また、第２レンズ群Ｇ２がレンズ鏡筒１９０と接触しない状態で第１レンズ群Ｇ１と結合するため、第２レンズ群Ｇ２の光軸が第１レンズ群Ｇ１の光軸と常に一致するようになる。
【００８０】
第３レンズ群Ｇ３は、イメージセンサ側に最も近く配置されることができ、複数のレンズで構成されることができる。詳しく説明すると、第３レンズ群Ｇ３は、イメージセンサ側に最も近く配置される第５レンズ１５０を含むことができる。また、第３レンズ群Ｇ３は、必要に応じて、赤外線の入射を遮断するＩＲフィルタをさらに含むことができる。
【００８１】
第３レンズ群Ｇ３は、レンズ鏡筒１９０と接触することができる。詳しく説明すると、第３レンズ群Ｇ３はレンズ鏡筒１９０と結合することで、第２レンズ群Ｇ２がレンズ鏡筒１９０から離脱することを防止することができる。
【００８２】
一方、第３レンズ群Ｇ３を構成する第５レンズ１５０の側面には、図９に示されているように、垂直面１５６及び傾斜面１５８が形成されることができる。ここで、垂直面１５６は、第５レンズ１５０とレンズ鏡筒１９０との間の摩擦面積を増大させることで、第５レンズ１５０とレンズ鏡筒１９０との間の結合力を向上させることができる。これとは異なり、傾斜面１５８は、レンズ鏡筒１９０に対する第５レンズ１５０の圧入を容易にするだけでなく、レンズ成形用金型から第５レンズ１５０の分離も容易にすることができる。
【００８３】
参考までに、本実施形態では、第３レンズ群Ｇ３の第５レンズ１５０のみに垂直面及び傾斜面が形成されるように図示されているが、必要に応じて、第１レンズ群Ｇ１及び第２レンズ群Ｇ２を構成するレンズの側面にも垂直面及び傾斜面が形成されることもできる。
【００８４】
間隔保持部材１６０は、第２レンズ群Ｇ２と第３レンズ群Ｇ３との間に配置されることができる。間隔保持部材１６０の内周面には、複数の傾斜面１６４、１６６が形成されることができる。このように構成された間隔保持部材１６０は、上記の通り、レンズの内面反射によるゴースト現象及びフレア現象を効果的に軽減させることができる。
【００８５】
一方、図８には間隔保持部材１６０が第２レンズ群Ｇ２と第３レンズ群Ｇ３との間に配置されるように示されているが、間隔保持部材１６０は、必要に応じて、第１レンズ群Ｇ１と第２レンズ群Ｇ２との間に配置されたり、または第２レンズ群Ｇ２を構成するレンズとレンズとの間に配置されることもできる。
【００８６】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【００８７】
１００  レンズモジュール
１１０  第１レンズ
１２０  第２レンズ
１３０  第３レンズ
１４０  第４レンズ
１５０  第５レンズ
１６０、１７０、１８０  間隔保持部材
１９０  レンズ鏡筒
【図１】
2014123087.tif 000003
【図２】
2014123087.tif 000004
【図３】
2014123087.tif 000005
【図４】
2014123087.tif 000006
【図５】
2014123087.tif 000007
【図６】
2014123087.tif 000008
【図７】
2014123087.tif 000009
【図８】
2014123087.tif 000010
【図９】
2014123087.tif 000011
【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
第１レンズと、
第２レンズと、
前記第１レンズと前記第２レンズとの間に配置され、光量を調節する第１孔が形成される第１間隔保持部材と、
前記第１レンズと前記第２レンズとの間に配置され、光量を調節する第２孔が形成される第２間隔保持部材と、を含み、
前記第１孔の内周面は光軸に対して第１傾斜角を有する第１傾斜面を含み、
前記第２孔の内周面は光軸に対して第２傾斜角を有する第２傾斜面を含み、
前記第１孔と前記第２孔は、異なる大きさを有する、レンズモジュール。
【請求項２】
前記第１傾斜角と前記第２傾斜角は、異なる大きさを有する、請求項１に記載のレンズモジュール。
【請求項３】
前記第１レンズと前記第２レンズとを収容するレンズ鏡筒をさらに含む、請求項１または２に記載のレンズモジュール。
【請求項４】
前記レンズ鏡筒は、前記第１レンズ及び前記第２レンズと同一の線膨張係数を有する材質からなる、請求項３に記載のレンズモジュール。
【請求項５】
前記第１レンズ及び前記第２レンズはプラスチック材質からなり、
前記レンズ鏡筒はポリアリレート（ＰＡＲ：Ｐｏｌｙａｒｙｌａｔｅ）からなる、請求項４に記載のレンズモジュール。
【請求項６】
前記第１間隔保持部材及び前記第２間隔保持部材は、非鉄金属からなる、請求項１から５の何れか１項に記載のレンズモジュール。
【請求項７】
前記第１間隔保持部材と前記第２間隔保持部材とが互いに接触している、請求項１から６の何れか１項に記載のレンズモジュール。
【請求項８】
レンズ鏡筒をさらに備え、
前記第１レンズは前記鏡筒と非接触である、請求項１から７のいずれか１項に記載のレンズモジュール。